(57)【特許請求の範囲】
【請求項１】
装置本体の改札通路に沿う方向に所定間隔で配列され、前記改札通路を通る利用客の通行位置を検知する位置検知センサ群と、
前記装置本体の上部に設置される案内表示部と、
前記位置検知センサ群の出力の変化から利用客の通行を検知した後、前記利用客が提示する媒体の記録情報の改札処理に基づき、前記利用客に関する案内情報を前記案内表示部に表示し、前記案内情報を前記案内表示部に表示している間に前記位置検知センサ群の出力の変化から前記利用客に後続する利用客を検知した場合、前記後続する利用客が提示する媒体の記録情報の改札処理に基づき、前記後続する利用客に関する案内情報を前記案内表示部に表示する受付案内表示手段と、
を備え、
前記案内表示部は、前記装置本体の上流側に設置される上流側案内表示部と、前記装置本体の下流側に設置される下流側案内表示部とをさらに備え、
前記受付案内表示手段は、前記案内情報を前記上流側案内表示部に表示し、
さらに、
前記位置検知センサ群で検知される利用客の通行位置と表示切替位置との関係を規定する表示切替位置記憶手段と、
前記位置検知センサ群の出力変化から前記利用客が前記表示切替位置を通過したかを判断する表示切替位置判断手段と、
前記表示切替位置判断手段が前記利用客が前記表示切替位置を通過したと判断したとき、前記上流側案内表示部が表示する、前記利用客に関する前記案内情報を、前記下流側案内表示部にスライド移動させて表示するスライド移動案内表示手段と、
を備える、
自動改札装置。
【請求項２】
請求項１に記載の自動改札装置において、
前記表示切替位置は、前記案内情報を表示する前記上流側案内表示部の中央部から前記装置本体の上流側の所定位置である自動改札装置。
【請求項３】
請求項１又は２に記載の自動改札装置において、
前記スライド移動案内表示手段は、前記上流側案内表示部に表示される案内情報の全部又は複数に分け、前記下流側案内表示部にスライド移動させる自動改札装置。
【請求項４】
装置本体の改札通路に沿う方向に所定間隔で配列され、前記改札通路を通る利用客の通行位置を検知する位置検知センサ群と、
前記装置本体の上面部に配置された縦長の案内表示部と、
前記位置検知センサ群の出力の変化から利用客の通行を検知した後、前記利用客が提示する媒体の記録情報の改札処理に基づき、前記利用客に関する案内情報を前記案内表示部に表示し、前記案内情報を前記案内表示部に表示している間に前記位置検知センサ群の出力の変化から前記利用客に後続する利用客を検知した場合、前記後続する利用客が提示する媒体の記録情報の改札処理に基づき、前記後続する利用客に関する案内情報を前記案内表示部に表示する受付案内表示手段と、
を備え、
前記受付案内表示手段は、前記案内情報を前記案内表示部の上流側に表示し、
さらに、
前記位置検知センサ群で検知される利用客の通行位置と複数の表示切替位置との関係を規定する表示切替位置記憶手段と、
前記位置検知センサ群の出力変化から前記複数の表示切替位置を順次通過したかを判断する表示切替位置判断手段と、
前記表示切替位置判断手段が前記利用客が前記各表示切替位置に達したと判断したとき、前記案内表示部の上流側に表示される、前記利用客に関する前記案内情報を、表示切替位置に対応する表示領域部分に順次スライド移動させて表示するスライド移動案内表示手段と、
を備える、
自動改札装置。
【請求項５】
請求項４に記載の自動改札装置において、
前記案内表示部は、複数の分割表示枠が連なる構成である自動改札装置。
【請求項６】
請求項５に記載の自動改札装置において、
前記表示切替位置記憶手段には、前記位置検知センサ群で検知される利用客の通行位置と複数の表示切替位置と前記各表示切替位置に対応する前記分割表示枠の表示場所情報とが規定されている自動改札装置。
【請求項７】
請求項５又は６に記載の自動改札装置において、
前記スライド移動案内表示手段は、前記表示切替位置判断手段で各表示切替位置を通過したと判断したとき、前記利用客に関する案内情報を、前記通過した表示切替位置に対応する表示場所の前記分割表示枠にスライド移動させて表示する自動改札装置。
【請求項８】
請求項４に記載の自動改札装置において、
前記案内表示部は，表示座標をもった複数の表示画面で構成されている自動改札装置。
【請求項９】
請求項８に記載の自動改札装置において、
前記表示切替位置記憶手段には、前記位置検知センサ群で検知される利用客の通行位置と複数の表示切替位置と前記各表示切替位置に対応する前記表示画面の表示座標とが規定されている自動改札装置。
【請求項１０】
請求項８又は９に記載の自動改札装置において、
前記スライド移動案内表示手段は、前記表示切替位置判断手段で各表示切替位置を通過したと判断したとき、前記利用客に関する案内情報を、前記通過した表示切替位置に対応する表示座標位置の表示画面にスライド移動させて表示する自動改札装置。
【発明の詳細な説明】
【技術分野】
【０００１】
本発明の実施形態は、自動改札装置に関する。
【背景技術】
【０００２】
鉄道などの交通機関の各駅に設置される自動改札装置は、使い始めて数十年になるが、その間に切符から磁気カード、ＩＣカードの利用へと移行し、近年では大半の利用客がＩＣカードを利用するようになっている。そのため、利用客は支払った後の残額等の確認のために案内表示の重要性が高まっている。
【０００３】
現在の一般的な自動改札装置は、装置本体上面部の１個所または２個所に案内表示部が設けられ、これら案内表示部の表示画面に利用客の支払い金額、残額及び必要な案内情報等を表示している。
【０００４】
しかしながら、１個所に案内表示部を設けた自動改札装置では、利用客の歩行速度や服装などにより一瞬しか表示画面の案内情報を見ることができない。そのため、利用客は、改札通路内で立ち止まって案内情報を確認するか、あるいは通行速度を下げて流し読み程度で案内情報を確認するしかない。
【０００５】
しかし、利用客が改札通路の途中で急に立ち止まることは、後続利用客が先行利用客に対して衝突する等で非常に危険である。また、先行利用客が立ち止まり、あるいは通行速度を下げた場合、改札効率が低下し、ひいては各駅に設置される自動改札装置のサービスの低下にも繋がる。
【０００６】
また、２個所に案内表示部を設けた自動改札装置では、出口側（下流側）の案内表示部には先行利用客の案内情報を表示し、入口側（上流側）の案内表示部には後続利用客の案内情報を表示している。
【０００７】
しかし、以上のような自動改札装置では、先行利用客が改札通路から出たことを条件とし、入口側の案内表示部の案内情報を出口側案内表示部に表示する構成となっている。すなわち、先行利用客優先のもとに案内情報の切替えを行っている。
【０００８】
その結果、先行利用客の歩行速度、間隔、位置検知センサの検知反応速度等により、先行利用客の出口通過検知が遅くなったり、改札から出たことを検知できない場合がある。
【０００９】
このような場合、出口側案内表示部の表示画面の案内情報を更新できないとか、あるいは先行利用客が改札出口から出たとしても、後続利用客が自身の案内情報を確認できなくなる状態が発生する。その結果、後続利用客のサービスの低下に繋がる。
【００１０】
また、先行利用客が改札から出たことを検知できない場合、出口側案内表示部には先行利用客の案内情報がそのまま表示された状態となる。その結果、後続利用客は、表示中の先行利用客の案内情報を見ることが可能となり、プライバシーの保護に欠ける問題がある。
【先行技術文献】
【特許文献】
【００１１】
【特許文献１】特開２００６−３１２９０号公報
【発明の概要】
【発明が解決しようとする課題】
【００１２】
本発明が解決しようとする課題は、利用客の進行状況に合わせて表示画面の情報を進行方向へスライド移動表示する自動改札装置を提供するものである。
【課題を解決するための手段】
【００１３】
上記課題を解決するために、実施形態の自動改札装置は、装置本体の改札通路に沿う方向に所定間隔で配列された利用客の通行位置を検知する位置検知センサ群と、前記装置本体の上部に所定の距離を隔てて設置される複数の案内表示部と、利用客の通行位置と表示切替位置との関係を規定する表示切替位置記憶手段と、前記位置検知センサ群の出力の変化から利用客通行を検知すると、媒体の記録情報の改札処理に基づき、利用客に関する案内情報を前記装置本体の上流側案内表示部に表示する受付案内表示手段と、前記位置検知センサ群の出力変化から利用客が前記表示切替位置を通過したかを判断する表示切替位置判断手段と、表示切替位置を通過したと判断したとき、前記上流側の案内表示部の案内情報を、前記下流側に設置される案内表示部にスライド移動させて表示するスライド移動案内表示手段とを備える。
【図面の簡単な説明】
【００１４】
【図１】各実施の形態に係る自動改札装置の構成を概略的に示す図。
【図２】各実施の形態に係る自動改札装置の制御処理系統を概略的に示す構成図。
【図３】第１の実施の形態に係るＲＡＭに形成される管理テーブルのデータ配列例図。
【図４】各実施の形態に係る利用客の通過位置と位置検知センサの状態変化の遷移を説明する図。
【図５】第１の実施の形態に係る自動改札装置の処理制御部での処理フローを示す図。
【図６】各実施の形態に係る案内表示部に表示される利用客に関する案内情報の一例を示す図。
【図７】第１の実施の形態に係る利用客の移動に従って案内情報のスライド移動状態を説明する図。
【図８】第２の実施の形態に係る利用客の移動に従って案内情報のスライド移動状態を説明する図。
【図９】第２の実施の形態に係るＲＡＭに形成される別の管理テーブルのデータ配列例図。
【図１０】第２の実施の形態に係る自動改札装置の処理制御部での処理フローを示す図。
【発明を実施するための形態】
【００１５】
以下、実施の形態について、図面を参照して説明する。  
（第１の実施の形態）  
図１は各実施の形態に係る鉄道関係の駅に設置される自動改札装置の構成を概略的に示す図である。自動改札装置１は、通常，２台の装置本体２が所定間隔を有して駅の改札口などに設置され、両装置本体２間に利用客が通行する改札通路３が形成される。
【００１６】
装置本体２上面の一端部（利用客入口側）には、例えば有効期間や利用可能区間などの改札情報が記録される磁気式乗車券（入場券、普通乗車券、定期券、回数券、プリペイドカードなど）を投入する投入口４が設けられている。なお、投入口４には、必要に応じて開閉するシャッタ５（図２参照）が設けられている。
【００１７】
また、装置本体２上面の他端部（利用客出口側）には、投入口４から投入された磁気式乗車券等を必要に応じて排出する取出口６が設けられている。
【００１８】
装置本体２上面の投入口４前方にはアンテナ７が設けられている。アンテナ７は、例えばループ状アンテナなどで構成され、利用客が所持する無線式カード（ＩＣカードなど）をアンテナ７に向けてかざしたとき、無線式カードに記録されるデータを無線通信により受信したり、無線式カードに対して必要なデータを送信して書込んだり、書替え可能な機能を持っている。以下、磁気式乗車券や無線式カードを媒体Ｃと総称する。
【００１９】
さらに、装置本体２上面部のアンテナ７より下流側近傍には入口側案内表示部８ａ、前記取出口６の下流側近傍には出口側案内表示部８ｂが設けられている。これら案内表示部８ａ，８ｂには、利用客や係員などに対して各種案内に関する情報の他に、改札処理の結果に関する案内情報（例えば、改札通路３の通行を許可する旨の情報（判定ＯＫ）、改札通路の通行を阻止する旨の情報（判定ＮＧ）、改札処理で利用された利用額に対応する情報、利用可能な金額から利用額を引き去った後の残額に対応する情報）などが表示される。
【００２０】
また、装置本体２の改札通路３側の面する両端部には、それぞれ利用客の通行を制御するドア９，９が設けられており、通行可否の判定結果に基づき、ドア９，９が開閉制御されるようになっている。
【００２１】
装置本体２の改札通路３面側には、利用客の通行位置を追従検知可能な透過型の光センサからなる位置検知センサ１１〜３６が配列されている。これら、位置検知センサ１１〜３６は、一方の装置本体２の改札通路３面側に所定間隔を有して直線状に投光素子１１ａ〜３６ａが配列され、改札通路３を挟んで他方の装置本体２の改札通路３面側には各投光素子１１ａ〜３６ａと対向する状態で受光素子１１ｂ〜３６ｂが配列されている。
【００２２】
これら位置検知センサ１１〜３６の各センサ間の間隔は、利用客の胴体の前後幅よりも小さな間隔，例えば８０ｍｍ以下の間隔で配列されている。８０ｍｍ以下という間隔は人間の胴体によって２個以上のセンサが遮蔽された状態になる幅である。つまり、一般的な人間の胴体の幅は１６０ｍｍ以上あるため、利用客が改札通路３内を通行したとき、２点以上のセンサを遮蔽した状態にすることになる。その結果、利用客の通行に伴って、隣接する２つの受光素子１１ｂ〜３ｂが遮光されて暗となったとき、管理対象となる利用客が通過したとする検知信号を出力することができる。
【００２３】
また、装置本体２上部の改札通路３とは反対側面から上側方向に突き出すようにフレーム３７が設けられている。フレーム３７の改札通路３に面する側には、利用客入口側（上流側）、中央部側及び利用客出口側（下流側）にそれぞれ高さ検知センサ４１〜４３が設けられている。これら高さ検知センサ４１〜４３は、大人の利用客を検知するための反射型の光センサであって、斜め上方へ光を投射し、その反射光を受光することにより、利用客が大人であると検知するものである。
【００２４】
さらに、フレーム３７上部の取出口６近傍には、本装置の動作状態（小児券の投入、無効券の投入、機器の異常など）を表示する状態表示部３８が設けられている。
【００２５】
図２は各実施形態に係る自動改札装置の制御処理系統を概略的に示す構成図である。
【００２６】
自動改札装置１はＣＰＵで構成される処理制御部５１を備えている。この処理制御部５１には、ＲＯＭ５２、ＲＡＭ５３、運賃メモリ５４、シャッタ制御部５５、センサ監視部５６、ドア開閉駆動部５７に開閉駆動指示を出すドア開閉制御部５８、表示制御部５９及び無線通信制御部６１が接続されている。
【００２７】
処理制御部５１は、本装置全体の処理制御を司るものであって、機能的には、受付案内表示手段５１ａ、表示切替位置判断手段５１ｂ及びスライド移動案内表示手段５１ｃが設けられている。
【００２８】
受付案内表示手段５１ａは、利用客の提示された媒体Ｃの受付けによる改札処理結果の案内情報（例えば改札から駅構外に出る場合、媒体の種類又は媒体絵柄、引去額、残額、御礼の挨拶データ等）を表示する機能を有する。
【００２９】
表示切替位置判断手段５１ｂは、利用客が入口側案内表示部８ａの中央よりも上流側位置に相当する位置検知センサ例えば１８を通過したことを検知したとき、表示画面切替位置と判断する機能を有する。
【００３０】
スライド移動案内表示手段５１ｃは、入口側案内表示部８ａの表示画面の全部又は一部ずつを消去しつつ、当該表示画面上の利用客の案内情報を、出口側案内表示部８ｂに案内情報の全部又は一部ずつをスライド移動させて表示し、常に後続利用客優先で案内情報を表示するものである。
【００３１】
ＲＯＭ５２には、処理制御部５１の処理手順を規定する処理制御用プログラムなどが記憶される。ＲＡＭ５３は、処理制御部５１において制御処理上必要なデータの他、処理過程で発生するデータを一時的に記憶する。ＲＡＭ５３には、少なくとも図３の管理テーブル５３ａの他、案内表示部８ａ（８ｂ）に表示する例えば利用客の改札入りや改札出に応じた案内情報を表示可能な異なる表現形式の複数の表示画面データが記憶されている。
【００３２】
管理テーブル５３ａには、少なくとも利用客を識別する管理番号、利用客の現在位置、通行方向、管理対象、表示切替位置などの管理項目データが格納されている。利用客の現在位置項目には、利用客の通行位置に伴って暗となる位置検知センサ１１〜３６のセンサ情報（例えば、前端・後端センサ番号）が記憶される。通行方向項目には利用客が何れの方向（駅入方向、駅出方向）に通行しているかを表す通行方向データが記憶される。管理対象項目には、高さ検知センサ例えば４１の検知結果から得られる大人か子供かのフラグが設定される。
【００３３】
運賃メモリ５４は、料金計算などを行うための運賃データが記憶される。シャッタ制御部５５は、投入口４に設けられたシャッタ５を開閉駆動制御する。センサ監視部５６には、位置検知センサ１１〜３６及び高さ検知センサ４１〜４３が接続され、利用客の通行に追従して暗となる例えばセンサ番号を取り込み、管理テーブル５３ａの前端・後端センサ番号データを更新する。また、センサ監視部５６は、高さ検知センサ４１〜４３から大人の通行を検知すると、ＲＡＭ５３の適宜な空き領域に高さ検知センサ４１〜４３ごとに大人検知有無のデータ「１」、「０」を設定する。
【００３４】
ドア開閉制御部５８は、ドア開閉駆動部５７によるドア９の開閉駆動を制御する。表示制御部５９は、処理制御部５１からの後続利用客の通行状況に応じて出力される表示切替指示にもとづき、入口側案内表示部８ａの案内情報を出口側案内表示部８ａにスライド移動させて表示する制御を行う。
【００３５】
無線通信制御部６１は、アンテナ７の送受信パワーなどを制御したり、アンテナ７から送信するデータを変調したりする。
【００３６】
さらに、処理制御部５１には、搬送制御部６３、読取回路６４、書込回路６５が接続されている。
【００３７】
搬送制御部６３は、磁気式媒体（図示せず）を搬送経路に沿って搬送するための搬送ローラや搬送ベルトを駆動する搬送用モータなどの各種搬送機構６６の駆動を制御する。読取回路６４は、磁気式媒体の裏面の磁気記録層に記録されているエンコード磁気情報を読み取る読取ヘッド６７の駆動を制御する機能を有する。書込回路６５は、磁気式媒体の磁気記録層に対してエンコード磁気情報を記録する書込ヘッド６８の駆動を制御する機能を有する。
【００３８】
図４は利用客の通行位置と位置検知センサ１１〜３６の暗となる状態変化との関係を説明する図である。
【００３９】
位置検知センサ１１〜３６は、通行方向に沿って例えば８０ｍｍ以下の間隔で配置されていれば、人間が少なくとも２個以上の位置検知センサに跨った状態で通行していることになる。このことは、利用客の通行に伴って少なくとも２個の位置検知センサ、例えば１１，１２が遮光されて暗状態となれば、管理対象である利用客が通行したと捉えることができる。
【００４０】
そこで、利用客の通行時、前回の暗状態となった位置検知センサの一部と今回の暗状態となる位置検知センサの一部とが重なり合う程度のサンプリング周期（例えば５ｍｓ）で位置検知センサ１１〜３６の出力（暗状態の変化）を検知すれば、図４に示すように利用客の通行に伴って暗状態の一部が重なりながら移動していることが判る。
【００４１】
よって、管理テーブル５３ａの現在位置のセンサ番号とサンプリング周期後の暗状態に変化したセンサ番号とのＡＮＤを取り、前回と重なりのあるセンサ番号を含む暗状態変化のセンサ１１〜３６群のセンサ番号を用いて、管理テーブル５３ａの現在位置のセンサ番号を順次更新していけば、利用客の通行位置を追跡することができる。
【００４２】
さらに、後続利用客の通行状況に合わせて、入口側案内表示部８ａの案内情報を進行方向にスライド移動可能に表示するためには、利用客が入口側案内表示部８ａを通過する直前，例えば入口側案内表示部８ａの中心から上流側位置にて利用者の視線が前方の出口側案内表示部８ｂの案内情報を見るように表示切替を実施すれば、利用者の視野から案内情報が離れることなく、かつ、利用客が立ち止まらずに移動しつつ案内情報を確認することができる。
【００４３】
よって、管理テーブル５３ａに規定される現在位置から、利用客の位置が予め定められた切替位置例えば、「１８」に到達したと判断され切替えを行う。
【００４４】
次に、以上のように構成された自動改札装置の処理手順について、図５ないし図７を参照して説明する。図５は自動改札装置の処理手順を説明する図、図６は利用客が改札出をする際、ＲＡＭ５３に記憶される改札出に応じた表現形式の表示画面に対して改札処理結果の情報を書き込み編集処理して作成する表示画面の一例を示す図、図７は改札通路３を通行する利用客の通行状況に応じて案内情報の表示切替を行う例を説明する図である。
【００４５】
自動改札装置１における処理制御部５１は、改札受付の待機状態に入ると、受付案内表示手段５１ａを実行する。
【００４６】
受付案内表示手段５１ａは、図７（ａ）の改札受付の待機状態において、ＲＡＭ５３内管理テーブル５３ａ現在位置に記憶されるセンサ番号から少なくとも２個の位置検知センサの出力が人間の通行により遮光されて暗状態になっているか、つまり、管理対象となる利用客（先行の利用客）Ａａの通行検知か否かを判断する（Ｓ１）。利用客Ａａの通行検知と判断した場合、該利用客Ａａが所持する媒体Ｃをアンテナ７に向けて提示するか、あるいは投入口４に投入することから、媒体受付けが行なわれたかを判断する（Ｓ２、図７（ｂ）参照）。
【００４７】
受付案内表示手段５１ａは、媒体Ｃを受付けたと判断すると、シャッタ５を閉じるとともにアンテナ７を受信不能にした後（Ｓ３）、受け付けた媒体Ｃに記録された情報に基づいて改札処理を行う（Ｓ４）。この改札処理結果に基づき、管理テーブル５３ａの必要項目に媒体Ｃの識別情報、通行方向、管理対象が大人か子供かのデータが格納される。
【００４８】
さらに、受付案内表示手段５１ａは、利用客Ａａの通行方向が改札出方向（駅出方向）であれば、ＲＡＭ５３から改札出に応じた表現形式の表示画面データを取り出し、改札処理結果の情報を書き込み編集処理し、例えば図６図に示すように利用者Ａａの案内情報を含む表示画面データを作成し、表示宛先データを含んで表示制御部５９に送出する。表示制御部５９は、処理制御部５１からの表示宛先データに従い、図６図に示す表示画面を図７（ｂ）に示すように入口側案内表示部８ａに表示する（Ｓ５）。
【００４９】
なお、表示画面は、基本的には１枚の表示画面Ｂで構成されるが、例えば図６に示すように２枚の分割画面Ｂａ，Ｂｂで構成し、個別にスライド移動させるようにしてもよい。
【００５０】
引き続き、処理制御部５１は表示切替位置判断手段５１ｂを実行する。表示切替位置判断手段５１ｂは、予め定めるサンプリング周期ごとに位置検知センサ１１〜３６の暗状態となっているセンサ情報であるセンサ番号を取り込んで（Ｓ６，Ｓ７）、管理テーブル５３ａの現在位置に格納されるセンサ番号を更新するとともに、この更新されたセンサ番号が表示切替位置を定めるセンサ番号と等しいか、あるいは表示切替位置を定めるセンサ番号を超えている場合、表示切替位置と判定する（Ｓ８）。
【００５１】
処理制御部５１は、表示切替位置と判定した後、スライド移動案内表示手段５１ｃを実行する。
【００５２】
スライド移動案内表示手段５１ｃは、入口側案内表示部８ａの案内情報を進行方向にスライド移動可能に表示するために、利用客Ａａが入口側案内表示部８ａの中心から上流側位置にて入口側案内表示部８ａの案内情報を見ている状態を保持しつつ、入口側案内表示部８ａの案内情報を出口側案内表示部８ｂに切替え表示することにより、案内情報がスライド移動するように表示する。
【００５３】
このとき、入口側案内表示部８ａの表示画面Ｂの案内情報の全部または一部ずつ分割して出口側案内表示部８ｂに切替え表示する。前者の案内情報の全部をスライド移動させる例は、入口側案内表示部８ａの案内情報全部を消去した後、その消去された案内情報全部を出口側案内表示部８ｂにスライド移動させることにより、利用客Ａａの視線の移動を進行方向に促し、案内情報の確認を可能にする。
【００５４】
一方、後者の案内情報の一部ずつスライド移動させる例は、図７（ｃ）に示すように、最初に入口側案内表示部８ａから分割画面Ｂａを消去させた後、直ちに出口側案内表示部８ｂにスライド移動させて分割画面Ｂａを表示し、その後、残りの分割画面Ｂｂを消去させた後、直ちに出口側案内表示部８ｂにスライド移動させて分割画面Ｂｂを表示することにより、図７（ｄ）のように全体の表示画面Ｂを表示する（Ｓ９）。
【００５５】
しかる後、シャッタ５を開放するともにアンテナ７を受信可能な状態に設定した後（Ｓ１０）、管理テーブル５３ａ現在位置に記憶されるセンサ番号から予め定める出口側所定位置通過を判断し（Ｓ１１）、利用客Ｍａが所定位置通過の場合には出口側案内表示部８ｂの表示画面を消去する（Ｓ１２）。
【００５６】
そして、表示画面の消去及びステップＳ１１にて出口側所定位置通過で無いと判断したとき、後続管理対象検知かを判断し（Ｓ１３）、つまり後続利用客Ｂｂ検知と判断したとき（図７（ｄ）参照）、ステップＳ２に移行し、同様の処理を繰り返し実行し、図７（ｄ）〜図７（ｆ）に示すように後続利用客優先のもとに、入口側案内表示部８ａの表示画面Ｂの案内情報を出口側案内表示部８ｂにスライド移動させて表示する。
【００５７】
従って、この実施の形態によれば、利用客の通行位置に合わせて、入口側案内表示部８ａに表示されている利用客に関する案内情報の全部または一部ずつ、利用客の視線から外れる前に出口側方向の例えば案内表示部８ｂにスライド移動表示し、後続利用客の視線を進行方向へ促すので、利用客が立ち止まることなく、表示画面の案内情報を容易に確認できる。
【００５８】
また、後続利用客優先のもとに後続利用客に関する案内情報を常に進行方向の案内表示部にスライド移動表示するので、例えば先行利用客の出口通過を検出できなかった場合でも、後続利用客の通行位置に伴って、後続利用客に関する案内情報に入れ替わるので、先行利用客に対するプライバシーの保護を図ることができる。
【００５９】
さらに、利用客が移動しながら案内情報を見ることができ、立ち止まったり、案内情報を一瞬しか確認できないという問題を改善することにより、改札効率の向上及びサービス性の改善を図ることができる。
【００６０】
なお、上記実施の形態は、２個の表示案内部８ａ，８ｂを設けた例について述べたが、２個以上の表示案内部８ａ，８ｂを設けた場合でも同様に適用できる。但し、この例では、図４に１つの表示切替位置Ｐ１を設けたが、その個数に応じて表示切替位置Ｐ２，Ｐ３，…と増やしていく必要がある。
【００６１】
（第２の実施の形態）
図８は第２の実施の形態に係る自動改札装置における案内表示部８の他の例を説明する他、利用客の通行位置（進行状況）に伴って案内情報のスライド移動の流れを説明する図である。
【００６２】
なお、本実施の形態に係る自動改札装置の構成及び制御処理系統の構成は、図１及び図２で詳しく説明しているので、ここではそれら構成等の重複説明は省略する。
【００６３】
第２の実施の形態は、図８（ａ）に示すように、装置本体２の上面部に縦長の案内表示部８が設けられている。この案内表示部８は、複数の分割表示枠（表示領域）８ａ〜８ｅを連ねた構成か、あるいは表示座標位置で管理する複数の仮想的な表示画面（表示領域）で構成されているものでもよい。また、案内表示部８の下流側近傍に取出口６を設けているが、例えば案内表示部８の途中に設けてもよい。その他、装置本体２の構成についは図１に示す通りである。
【００６４】
図９は例えば複数の分割表示枠８ａ〜８ｅの順序に従って案内情報をスライド移動されるためのデータを格納する管理テーブル５３ａ´のデータ配列例を示す図である。第1の実施形態の管理テーブル５３ａと同様に管理項目データが記憶される。
【００６５】
なお、例えば５個の分割表示枠８ａ〜８ｅに対応して、図４に示すように５つの表示切替位置データＰ１〜Ｐ５等は、ＲＡＭ５３の別のエリアに設定される。すなわち、ＲＡＭ５３には、利用客が例えば位置検知センサ１８を通過したとき→表示切替位置Ｐ１、位置検知センサ２１を通過したとき→表示切替位置Ｐ２、位置検知センサ２４を通過したとき→表示切替位置Ｐ３、位置検知センサ２７を通過したとき→表示切替位置Ｐ４、位置検知センサ２３０を通過したとき→表示切替位置Ｐ５を通過したことが設定される。
【００６６】
一方、表示場所又は表示座標の項目には、表示切替位置Ｐ１〜Ｐ５ごとに分割表示枠８ａ〜８ｅの例えば表示出力ポート番号または縦長表示画面の場合には各表示切替位置Ｐ１〜Ｐ５ごとに表示座標位置データが規定されている。
【００６７】
次に、以上のように構成された自動改札装置の処理手順について図１０を参照して説明する。
【００６８】
自動改札装置１における処理制御部５１は、改札受付の待機状態に入ると、受付案内表示手段５１ａを実行する。
【００６９】
受付案内表示手段５１ａは、図８（ａ）の改札受付の待機状態において、ＲＡＭ５３内管理テーブル５３´ａの現在位置のセンサ番号から２個の位置検知センサの出力が人間の通行により遮光されて暗状態となったとき、管理対象（先行の利用客）Ａａの通行を検知する（Ｓ１）。利用客Ａａの通行検知と判断したとき、図５と同様に媒体受付け判断（Ｓ２、図８（ｂ）参照）、シャッタ閉・アンテナ７受信不許可（Ｓ３）、媒体Ｃ受付け後の改札処理を行う（Ｓ４）。
【００７０】
さらに、受付案内表示手段５１ａは、表示切替位置Ｐ＝１を設定した後、管理テーブル５３´ａの表示場所データ（出力ポート番号）又は表示座標データ（以下、出力ポート番号を用いて説明する）に基づき、ＲＡＭ５３から例えば改札出に応じた表現形式の表示画面データを取り出し、改札処理結果の情報を書き込み編集処理し、例えば図６図に示すように利用者Ａａの案内情報を含む表示画面データを作成し、出力ポート番号を含んで表示制御部５９に送出する。表示制御部５９は、処理制御部５１からの出力ポート番号に従い、図６図に示す表示画面を図８（ｂ）に示すように案内表示部８の分割表示枠８ａの出力ポートを介しての分割表示枠８ａに案内情報を表示する（Ｓ２２）。
【００７１】
引き続き、処理制御部５１は表示切替位置判断手段５１ｂを実行する。表示切替位置判断手段５１ｂは、予め定めるサンプリング周期ごとに位置検知センサ１１〜３６の暗状態となっているセンサ情報であるセンサ番号を取り込み（Ｓ２３，Ｓ２５）、管理テーブル５３´ａの現在位置に格納されるセンサ番号を更新するとともに、この更新されたセンサ番号が表示切替位置を定めるセンサ番号２１と等しいか、あるいは表示切替位置を定めるセンサ番号２１を超えているかを判断する（Ｓ２５）。
【００７２】
利用客Ａａが未だ位置検知センサ２１を通過していない場合にはステップＳ２２に戻り、案内表示部８の分割表示枠８ａに利用客Ａａ案内情報を表示し続ける。
【００７３】
一方、更新されたセンサ番号がセンサ番号２１と等しいか、利用客Ａａが表示切替位置Ｐ２を通過と判定する。処理制御部５１は、表示切替位置Ｐ２と判定した後、スライド移動案内表示手段５１ｃを実行する。
【００７４】
スライド移動案内表示手段５１ｃは、利用客Ａａが予め定めるシャッタ解除位置を通過したか否かを判断し（Ｓ２６）、通過したと判断したときにはシャッタ５開・アンテナ受信許可を送出する（Ｓ２７）。
【００７５】
スライド移動案内表示手段５１ｃは、シャッタ等の解除後または利用客Ａａが未だシャッタ解除位置に達していないとき、全表示位置切替完了かを判断し（Ｓ２８）、未だ残っている場合にはＰ＝１に＋１をインクリメントし（Ｓ２９）、ＲＡＭ５３に設定される表示場所または表示座標項目のＰ２の出力ポート番号に基づき、案内表示部８の分割表示枠８ａに表示される案内情報を、スライド移動処理により（Ｓ３０）、図８（ｃ）に示すように分割表示枠８ｂに表示する。以下、案内表示部８の分割表示枠８ｂに表示された案内情報は、利用客Ａａの移動に伴って、Ｐ３到達によって分割表示枠８ｃ（図８（ｄ）参照）、Ｐ４到達によって分割表示枠８ｄ（図８（ｅ）参照）に順次スライド移動しながら表示される。
【００７６】
しかる後、ステップＳ２８において、全表示切替位置完了と判断したとき、管理テーブル５３ａ現在位置に記憶されるセンサ番号から予め定める出口側所定位置通過を判断し（Ｓ３１）、利用客Ｍａが所定位置通過の場合には案内表示部８の分割表示枠８ｅの表示画面を消去する（Ｓ３２）。
【００７７】
そして、分割表示枠８ｅの表示画面の消去及びステップＳ３１にて出口側所定位置通過で無いと判断したとき、後続管理対象検知かを判断し（Ｓ３３）、つまり後続利用客Ｂｂ検知と判断したとき（図７（ｆ）参照）、ステップＳ２に移行し、同様の処理を繰り返し実行する。
【００７８】
従って、以上のような実施の形態によれば、第１の実施の形態と同様に効果を奏する他、装置本体２の上面部に複数の分割表示枠８ａ〜８ｅで連なる縦長の案内表示部８を設け、利用客が進行状況に応じて予め定める表示切替位置Ｐ２〜Ｐ５を通過するごとに、上流側表示の案内情報を対応する分割表示枠８ｂ〜８ｅに順次スライド移動させて表示するので、第１の実施形態よりもより利用客の進行状況に合わせて見やすい状態で案内情報を表示できる。
【００７９】
よって、利用客の進行状況に合わせて表示画面の案内情報を進行方向へスライド移動するので、利用客がより確実に案内情報を確認でき、改札効率の向上、ひいては利用客のサービス向上を図ることができる。
【００８０】
なお、上記第２の実施形態では、縦長の案内表示部８がハード的に複数の分割表示枠（表示領域）８ａ〜８ｅを連ねた構成について説明したが、縦長の案内表示部８を例えばソフトウエア的に複数の表示領域に分け、かつ、理テーブル５３´ａの表示座標項目に各表示切替位置Ｐ１〜Ｐ５に対応付けて表示座標位置データを格納しておけば、各表示切替位置を通過するごとに表示座標位置データを取り出し、該当する表示領域に案内情報をスライド移動させて表示することができる。
【００８１】
（その他の実施形態）
（１）  上記実施の形態では、図１に示すように、利用客が図示矢印で示すように一方向の改札通路３から通行する例について説明したが、両方向併用の自動改札装置であっても同様に適用できる。
【００８２】
（２）  上記実施の形態では、同じ案内情報をスライド移動させるように説明したが、例えば表示切替位置の通過に合わせて、例えば色を変えるとか、あるいは注目情報を拡大表示するとか、表示内容を変えて表示する構成であってもよい。
【００８３】
（３）  さらに、上記実施の形態では、２つの実施の形態例を提示したものであるが、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に本件出願当初の特許請求の範囲に記載された発明を付記する。
［１］
装置本体の改札通路に沿う方向に所定間隔で配列され、当該改札通路を通る利用客の通行位置を検知する位置検知センサ群と、
前記装置本体の上部に所定の距離を隔てて設置される複数の案内表示部と、
前記位置検知センサ群で検知される利用客の通行位置と表示切替位置との関係を規定する表示切替位置記憶手段と、
前記位置検知センサ群の出力の変化から前記利用客の通行を検知した後、提示される媒体の記録情報の改札処理に基づき、前記利用客に関する案内情報を前記装置本体の上流側案内表示部に表示する受付案内表示手段と、
前記位置検知センサ群の出力変化から前記利用客が前記表示切替位置を通過したかを判断する表示切替位置判断手段と、
前記表示切替位置を通過したと判断したとき、前記上流側の案内表示部の案内情報を、前記下流側に設置される案内表示部にスライド移動させて表示するスライド移動案内表示手段と
を備えた自動改札装置。
［２］
［１］に記載の自動改札装置において、
前記複数の案内表示部は、少なくとも前記装置本体の上流側となる入口側及び下流側となる出口側の案内表示部である自動改札装置。
［３］
［１］又は［２］に記載の自動改札装置において、
前記表示切替位置は、前記案内情報を表示する入口側案内表示部の中央部から前記装置本体の上流側の所定位置である自動改札装置。
［４］
［１］ないし［３］の何れか一つに記載の自動改札装置において、
前記スライド移動案内表示手段は、前記入口側案内表示部に表示される案内情報の全部又は複数に分け、前記出口側の案内表示部にスライド移動させる自動改札装置。
［５］
装置本体の改札通路に沿う方向に所定間隔で配列され、前記改札通路を通る利用客の通行位置を検知する位置検知センサ群と、
前記装置本体の上面部に配置された縦長の案内表示部と、
前記位置検知センサ群で検知される利用客の通行位置と複数の表示切替位置との関係を規定する表示切替位置記憶手段と、
前記位置検知センサ群の出力の変化から前記利用客の通行を検知した後、提示される媒体の記録情報の改札処理に従って前記利用客に関する案内情報を前記案内表示部に表示する受付案内表示手段と、
前記位置検知センサ群の出力変化から前記複数の表示切替位置を順次通過したかを判断する表示切替位置判断手段と、
前記各表示切替位置に達したと判断したとき、前記上流側の案内表示部の案内情報を、前記案内表示部の表示切替位置に対応する表示領域部分に順次スライド移動させて表示するスライド移動案内表示手段と
を備えた自動改札装置。
［６］
［５］に記載の自動改札装置において、
前記案内表示部は、複数の分割表示枠が連なる構成である自動改札装置。
［７］
［５］又は［６］に記載の自動改札装置において、
前記表示切替位置記憶手段には、前記案内表示部が複数の分割表示枠で構成されている場合、前記位置検知センサ群で検知される利用客の通行位置と複数の表示切替位置と当該各表示切替位置に対応する前記分割表示枠の表示場所情報とが規定されている自動改札装置。
［８］
［５］ないし［７］の何れか一つに記載の自動改札装置において、
前記スライド移動案内表示手段は、前記表示切替位置判断手段で各表示切替位置を通過したと判断したとき、前記利用客に関する案内情報を、当該通過した表示切替位置に対応する表示場所の前記分割表示枠にスライド移動させて表示する自動改札装置。
［９］
［５］に記載の自動改札装置において、
前記案内表示部は，表示座標をもった複数の表示画面で構成されている自動改札装置。
［１０］
［５］又は［９］に記載の自動改札装置において、
前記表示切替位置記憶手段には、前記案内表示部が表示座標をもった複数の表示画面で構成されている場合、前記位置検知センサ群で検知される利用客の通行位置と複数の表示切替位置と当該各表示切替位置に対応する前記表示画面の表示座標とが規定されている自動改札装置。
［１１］
［５］、［９］，［１０］の何れか一つに記載の自動改札装置において、
前記スライド移動案内表示手段は、前記表示切替位置判断手段で各表示切替位置を通過したと判断したとき、前記利用客に関する案内情報を、当該通過した表示切替位置に対応する表示座標位置の表示画面にスライド移動させて表示する自動改札装置。
【符号の説明】
【００８４】
１…自動改札装置、２…装置本体、３…改札通路、４…投入口、５…シャッタ、６…取出口、７…アンテナ、８，８ａ，８ｂ…案内表示部、９…ドア、１１〜３６…位置検知センサ、１１ａ〜３６ａ…投光素子、１１ｂ〜３６ｂ…受光素子、３７…フレーム、３８…状態表示部、４１〜４３…高さ検知センサ、５１…処理制御部、５１ａ…受付案内表示手段、５１ｂ…表示切替位置判断手段、５１ｃ…スライド移動案内表示手段、５２…ＲＯＭ、５３…ＲＡＭ、５５…シャッタ制御部、５６…センサ監視部、５７…ドア開閉駆動部、５８…開閉制御部、５９…表示制御部、６０…音声出力制御部、６１…無線通信制御部、Ｃ…媒体の一種となる無線式カード、Ａａ…先行利用客、Ａｂ…後続利用客、Ｐ１〜Ｐ５…表示切替位置、Ｂ…表示画面、Ｂａ，Ｂｂ…分割画面、
【図１】
0006010194.tif 000002
【図２】
0006010194.tif 000003
【図３】
0006010194.tif 000004
【図４】
0006010194.tif 000005
【図５】
0006010194.tif 000006
【図６】
0006010194.tif 000007
【図７】
0006010194.tif 000008
【図８】
0006010194.tif 000009
【図９】
0006010194.tif 000010
【図１０】
0006010194.tif 000011